(57)【要約】  【目的】案内に必要な最小限の情報を１画面上に簡略化して表した簡易誘導経路を表示する車載用ナビゲーション装置を提供する。  【構成】誘導経路探索手段にて探索された誘導経路を構成する道路リンク情報から、出発地点ａから目的地点ｂまでの誘導経路上において案内を要する地点の案内ポイントＰiと案内ポイントＰi間の通過確認の目印となる通過ポイントＴiのデータを抽出し、隣り合うポイント間を直線で結んだ簡易誘導経路が交差しない条件で長いポイント間、短いポイント間の距離の縮小、拡大を行い、ディスプレイ装置の画面上の１画面内に案内ポイントＰi及び通過ポイントＴiと目的地点ｂが収まるように縮尺を設定して各地点間を順次直線で連結した直線道路で簡易表示するとともに、各隣り合う２地点間の誘導経路上における距離と、自車の現在位置ｃと、を表示した簡易誘導経路Ｋを表示する簡易地図表示機能を備える構成。【選択図】  図９
2006132954.tif 000002
【特許請求の範囲】
【請求項１】
自車位置を推定する測位手段と、地図データベースと、出発地点から目的地点までの誘導経路を探索する誘導経路探索手段と、探索した誘導経路をディスプレイ装置の画面上に表示する表示手段と、を備える車載用ナビゲーション装置において、
前記誘導経路探索手段にて探索された誘導経路を構成する道路リンク情報をメモリ装置に記録する道路リンク情報記録手段と、
前記誘導経路上において案内を要する地点である案内ポイントを前記道路リンク情報から出発地点から目的地点までにわたり順次に抽出してメモリ装置に記録するとともに、隣り合う２つの案内ポイント間の前記誘導経路上における距離を算出する案内ポイント抽出手段と、
前記出発地点と抽出された前記各案内ポイントと前記目的地点とにおける隣り合う２地点間の距離が所定距離以上の場合に、前記メモリ装置に記録された道路リンク情報中における該隣り合う２地点間の前記誘導経路上の通過確認の目印となる通過ポイントのデータを検出して抽出し記録する通過ポイント抽出手段と、
前記誘導経路における前記出発地点、前記案内ポイント、前記通過ポイント、前記目的地点の各地点の相対位置と隣り合う２地点間の直線距離を算出する相対位置・距離検出手段と、
前記隣り合う２地点間の各直線距離と所定の第１の閾値とをそれぞれ比較して前記隣り合う２地点間の直線距離が前記第１の閾値よりも小さい場合は、前記隣り合う２地点間を直線で結んだ全体の簡易誘導経路が交差しない条件で当該直線距離を所定距離まで延ばすとともに、延ばした距離に合わせて各地点の相対位置をシフトする地点間拡大化手段と、
前記隣り合う２地点間の各直線距離と所定の第２の閾値とをそれぞれ比較して前記第２の閾値よりも前記当該隣り合う２地点間の直線距離が大きい場合は、前記隣り合う２地点間を直線で結んだ全体の簡易誘導経路が交差しない条件で当該直線距離を所定距離まで縮めるとともに、縮めた距離に合わせて各地点の相対位置をシフトする地点間縮小化手段と、
前記ディスプレイ装置の画面上の１画面乃至２画面内に前記出発地点、前記案内ポイント、前記通過ポイント、前記目的地点が収まるように縮尺を設定する縮尺設定手段と、
前記ディスプレイ装置の画面上に、前記出発地点、前記案内ポイント、前記通過ポイント、前記目的地点、前記案内ポイント及び通過ポイントと前記目的地点とを順次に直線で連結した直線道路と、を簡易表示するとともに、各隣り合う２地点間の前記誘導経路上における距離と、自車の現在位置と、を表示した簡易誘導経路を、前記縮尺設定手段で設定された縮尺で表示する表示手段と、を有する簡易地図表示機能、を備えることを特徴とする車載用ナビゲーション装置。
【発明の詳細な説明】
【技術分野】
【０００１】
本発明は、車載用ナビゲーション装置の技術分野に属し、特に、探索された誘導経路の全体と運転の際の要衝地点の把握がし易くなる簡易地図表示機能の技術に関する。
【背景技術】
【０００２】
従来の一般的な車載用ナビゲーション装置では、図１０に示されるように、ＧＰＳ受信機１によって絶対位置を推定する衛星航法測位システムと、方位センサ（地磁気センサなど）２や車輪センサ３によって相対方位や距離を推定する推測（慣性）航法システムと、さらにＣＤやＤＶＤなどの記録媒体に記録された地図データベース４とのマップマッチングによって自車の現在位置を推定し、ユーザが入力指定した目的地点までの好ましい誘導経路を探索して、液晶などのディスプレイ装置の画面上に表示した地図の道路の色を変更するなどして表している。
【０００３】
また、道路名称とその走行距離をリスト表示することで前記誘導経路の情報を示すシステムや、走行前に目的地点までの誘導経路をシミュレーションすることができるシステムもある。
【０００４】
ところで、探索された目的地点までの誘導経路が長距離の場合や複雑な経路の場合には、詳細地図による表示に加えて目的地点と誘導経路全体が概ね把握できる全体地図が表示されることがユーザフレンドリーである。
【０００５】
この点、下記［特許文献１］では、特に、出発地点から目的地点までの距離を計算して、図１１に示されるディスプレイ装置の表示画面のように、太線で示される誘導経路を表示した画面の隅に、出発地点ａから目的地点ｂまで距離に応じて縮尺を行って出発地点ａと目的地点ｂと現在地点ｃを全体の経路上に表すことで、進捗状況が一目で判るようにした誘導経路の簡易地図Ａを表示することで、ユーザが経路上の大体どの位置に現在いるかを把握し易くするナビゲーション装置の技術が示されている。
【０００６】
【特許文献１】特開平９−８１０３６号公報
【発明の開示】
【発明が解決しようとする課題】
【０００７】
先ず、従来技術の一般的問題として、特に、誘導経路が長距離のときに、ユーザが走行前に目的地点までの誘導経路全体を把握しようとするとき、以下の（イ）〜（ヘ）の不都合が生じる。
（イ）前記従来のリスト表示では、ユーザが道路名称を知らなければ分かりにくく、また、運転に際して案内を要する要衝地点（曲がるべき交差点、分岐点、高速道路のインターチェンジ、チェックポイントとなる施設や場所などの後述の案内ポイントに相当）に何があるのか（コンビニがあるのか、特に目印になるようなものが在るのか無いのか）分からないという点。
（ロ）通常の地図表示では、地図を出発地点から目的地点まで誘導経路に沿って数画面にわたってスクロールさせる必要があり、誘導経路の全体像を把握しにくい場合がある点。
（ハ）地図を縮小表示にして誘導経路の全体を表示したときは、運転に際しての要衝地点である右左折の案内ポイント（交差点や建物など）などが細かすぎて分からなくなる場合がある点。
【０００８】
即ち、誘導経路に沿っての運転に際して、案内が必要な要衝地点はその隣り合う間隔が長短様々（案内ポイントが粗密に散在する）な場合が普通であり、誘導経路全体を単純な縮尺で１画面に表そうとすると、判りづらい場合があるのである。
（ニ）従来の誘導経路のシミュレーションでは、交差点の拡大地図が表示されて、右折／左折のポイントなどを把握し易くなっているが、前記（ロ）と同じように誘導経路の全体像を把握しにくい。また、シミュレーションに時間がかかるという難点がある。
（ホ）前記［特許文献１］の簡易地図表示機能では、出発地点から目的地点までの誘導経路上で、ユーザがどの位置にいるかを大まかに示すだけで、その地図上に右折／左折ポイントなどを抽出して明確な表示することをしていないので、前記（ハ）と同じ問題がある。
【０００９】
即ち、上記［特許文献１］の簡易地図表示機能は、進捗状況を把握するうえで便利であり、ユーザフレンドリーなものであるが、単にディスプレイ上の片隅に余りに簡易な誘導経路の全体形状を表したのみの簡易なものであって、その簡易地図自体が誘導の作用を有するものではなく、誘導経路の要衝を押えた全体像は把握しにくいのである。
（ヘ）従来の車載用ナビゲーション装置では、誘導経路探索時に抽出される要衝地点（右左折時などに案内されるコンビニなど）は、現実に要衝地点に近づいた経路案内の時（右左折時などの少し前）までは明示的に案内・表示されないので、予め誘導経路全体を要衝地点で押えて把握することが困難である点などが挙げられる。
【００１０】
このように、前述の[特許文献１]のような限定された目的に使用するための簡易地図の表示はその所望の目的には有益であるが、通常のナビゲーションにおける広域地図や詳細地図の表示では、ナビゲーションに不必要な情報が豊富に地図に表示されていて、必ずしも多い情報が案内に役立つとはいえず、却って判りづらい場合が多い。
【００１１】
この点、出発地点と目的地点を１つの画面上若しくはスクロールで実質２画面以内までに収まるように表示しつつ誘導経路における要衝地点（曲がるべき交差点、分岐点、高速道路のインターチェンジ、チェックポイントとなる施設や場所など）を表した簡易な誘導経路の概略（それ自体のみでも目的地点まで誘導され得る程度の必要最小限の情報が提供されるもの。例えば店舗のチラシ広告などに載っている店舗周辺の直線的な道路で表示された概略地図のようなもの（図３参照）。）が示されている簡易誘導経路を表示する機能（簡易地図表示機能）があると非常に便利であり誠にユーザフレンドリーなものとなると考えられる。
【００１２】
本発明は上記事情に鑑みてなされたものであり、ディスプレイ装置の１画面乃至２画面内に探索された誘導経路の最低限必要な情報が表示されて誘導経路全体の把握が容易な簡易誘導経路を表示する簡易地図表示機能を備える車載用ナビゲーション装置を提供することを目的とする。
【課題を解決するための手段】
【００１３】
本発明は、
自車位置を推定する測位手段と、地図データベース４と、出発地点ａから目的地点ｂまでの誘導経路を探索する誘導経路探索手段と、探索した誘導経路をディスプレイ装置８の画面上に表示する表示手段と、を備える車載用ナビゲーション装置１０において、
前記誘導経路探索手段にて探索された誘導経路を構成する道路リンク情報Ｄをメモリ装置６に記録する道路リンク情報記録手段と、
前記誘導経路上において案内を要する地点である案内ポイントＰi（i＝０，１，２，・・・）を前記道路リンク情報Ｄから出発地点ａから目的地点ｂまでにわたり順次に抽出してメモリ装置６に記録するとともに、隣り合う２つの案内ポイント（ＰiとＰi+1）間の前記誘導経路上における距離Ｒを算出する案内ポイント抽出手段と、
前記出発地点ａと抽出された前記各案内ポイントＰiと前記目的地点ｂとにおける隣り合う２地点間の距離Ｒが所定距離Ｒａ以上の場合に、前記メモリ装置６に記録された道路リンク情報Ｄ中における該隣り合う２地点間（ＰiとＰi+1）の前記誘導経路上の通過確認の目印となる通過ポイントＴiのデータを検出して抽出し記録する通過ポイント抽出手段と、
前記誘導経路における前記出発地点ａ、前記案内ポイントＰi、前記通過ポイントＴi、前記目的地点ｂの各地点の相対位置と隣り合う２地点間の直線距離Ｌiを算出する相対位置・距離検出手段と、
前記隣り合う２地点間の各直線距離と所定の第１の閾値Ｂとをそれぞれ比較して前記隣り合う２地点間の直線距離が前記第１の閾値Ｂよりも小さい場合は、前記隣り合う２地点間を直線で結んだ全体の簡易誘導経路が交差しない条件で当該直線距離Ｌiを所定距離（例えばＢ）まで延ばすとともに、延ばした距離に合わせて各地点（Ｐi，Ｔi，ｂ）の相対位置をシフトする地点間拡大化手段と、
前記隣り合う２地点間の各直線距離Ｌiと所定の第２の閾値Ｃとをそれぞれ比較して前記第２の閾値Ｃよりも前記当該隣り合う２地点間の直線距離Ｌiが大きい場合は、前記隣り合う２地点間を直線で結んだ全体の簡易誘導経路が交差しない条件で当該直線距離を所定距離（例えばＣ）まで縮めるとともに、縮めた距離に合わせて各地点（Ｐi，Ｔi，ｂ）の相対位置をシフトする地点間縮小化手段と、
前記ディスプレイ装置８の画面上の１画面乃至２画面内に前記出発地点ａ、前記案内ポイントＰi、前記通過ポイントＴi、前記目的地点ｂが収まるように縮尺を設定する縮尺設定手段と、
前記ディスプレイ装置８の画面上に、前記出発地点ａ、前記案内ポイントＰi、前記通過ポイントＴi、前記目的地点ｂと、前記案内ポイントＰi及び通過ポイントＴiと前記目的地点ｂとを順次に直線で連結した直線道路と、を簡易表示するとともに、各隣り合う２地点間の前記誘導経路上における距離と、自車の現在位置ｃと、を表示した簡易誘導経路Ｋを、前記縮尺設定手段で設定された縮尺で表示する表示手段と、を有する簡易地図表示機能を、備えることを特徴とする車載用ナビゲーション装置１０を提供することにより、上記課題を解決する。
【発明の効果】
【００１４】
本発明に係る車載用ナビゲーション装置は、上記のように構成されているため、（１）走行前にユーザが目的地点までの誘導経路の全体を要衝を押えて把握しやすくなり、また、走行中にもこの表示を継続することにより、運転時の経路判断の労力も低減できる。
（２）簡易誘導経路はディスプレイ装置の画面の１画面乃至２画面内に収まっているので、全体の経路における現在位置の把握が容易である。
【発明を実施するための最良の形態】
【００１５】
本発明に係る車載用ナビゲーション装置の実施の形態について図面に基づいて説明する。
【００１６】
図１は本発明に係る車載用ナビゲーション装置の全体構成を示すブロック図である。図２は本発明に係る車載用ナビゲーション装置の簡易地図表示機能の処理内容を説明する全体のフローチャートである。図３は本発明に係る車載用ナビゲーション装置における案内ポイントを抽出するフローチャートである。図４は通過ポイントを抽出するフローチャートである。図５は簡易地図作成におけるフローチャート（前半部）である。図６は簡易地図作成におけるフローチャート（後半部）である。図７は簡易地図作成における地点間拡大化手段のフローチャートである。図８は簡易地図作成における地点間縮小化手段のフローチャートである。図９は本発明に係る車載用ナビゲーション装置のディスプレイ装置の画面上に表示された簡易誘導経路（簡易地図）の例を示す図である。
【００１７】
図１において、本発明の車載用ナビゲーション装置１０は、従来の車載用ナビゲーション装置と同様に、ＧＰＳ受信機１、方位センサ２、車輪センサ３、地図データベース４、操作部５、制御装置７を備えており、衛星航法測位システムと推測（慣性）航法システムとマップマッチングによって自車位置を推定する測位手段と、制御装置７のマイクロコンピュータなどのコンピュータ制御手段による出発地点から目的地点までの誘導経路を探索する誘導経路探索手段と、探索した誘導経路をディスプレイ装置８の画面上に表示する表示手段と、を備える構成になっている。本発明では、上記に加えて、特に、上記制御装置７において、前記誘導経路探索手段にて探索された誘導経路を構成する道路リンク情報Ｄをメモリ装置６に記録する道路リンク情報記録手段と、図９に示されるように、前記誘導経路上において案内を要する地点である案内ポイントＰi（i＝０，１，２，・・・）を前記道路リンク情報Ｄから出発地点ａから目的地点ｂまでにわたり順次に抽出してメモリ装置６に記録するとともに、隣り合う２つの案内ポイント（ＰiとＰi+1）間の距離Ｒを算出する案内ポイント抽出手段と、前記出発地点ａと抽出された前記各案内ポイントＰiと前記目的地点ｂとにおける隣り合う２地点間の距離Ｒが所定距離Ｒａ（例えば２ｋｍ）以上の場合に、前記メモリ装置６に記録された道路リンク情報Ｄ中における該隣り合う２地点間の前記誘導経路上の通過確認の目印となる通過ポイントＴi（i＝０，１，２，・・・）のデータを検出して抽出し前記メモリ装置６に記録する通過ポイント抽出手段と、前記誘導経路における前記出発地点ａ、前記案内ポイントＰi、前記通過ポイントＴi、前記目的地点ｂの各地点の相対位置と隣り合う２地点間の直線距離Ｌiを算出する相対位置・距離検出手段と、前記隣り合う２地点間の各直線距離Ｌiと所定の第１の閾値Ｂとをそれぞれ比較して前記隣り合う２地点間の直線距離Ｌiが前記第１の閾値Ｂよりも小さい場合は、前記隣り合う２地点間を直線で結んだ簡易誘導経路が交差しない条件で当該直線距離Ｌiを所定距離（例えばＢ）まで延ばすとともに、延ばした距離に合わせて各地点（Ｐi，Ｔi，ｂ）の相対位置をシフトする地点間拡大化手段と、前記隣り合う２地点間の各直線距離Ｌiと所定の第２の閾値Ｃとをそれぞれ比較して前記第２の閾値Ｃよりも前記当該隣り合う２地点間の直線距離Ｌiが大きい場合は、前記隣り合う２地点間を直線で結んだ簡易誘導経路が交差しない条件で当該直線距離Ｌiを所定距離（例えばＣ）まで縮めるとともに、縮めた距離に合わせて各地点の相対位置をシフトする地点間縮小化手段と、前記ディスプレイ装置８の画面上の１画面乃至２画面内に前記出発地点ａ、前記案内ポイントＰi、前記通過ポイントＴi、前記目的地点ｂが収まるように縮尺を設定する縮尺設定手段と、前記ディスプレイ装置８の画面上に、前記出発地点ａ、前記案内ポイントＰi、前記通過ポイントＴi、前記目的地点ｂと、前記案内ポイントＰi及び通過ポイントＴiと前記目的地点ｂとを順次に直線で連結した直線道路と、を簡易表示するとともに、各隣り合う２地点間の前記誘導経路上における距離と、自車の現在位置ｃと、を表示した簡易誘導経路Ｋを、前記縮尺設定手段で設定された���尺で表示する表示手段と、を有する簡易地図表示機能、を備える構成となっている。
【００１８】
上記構成によって、（ａ）目的地点ｂまでの経路探索時に抽出される右左折、分岐、合流、ＩＣなどの案内を要する案内ポイントＰi（従来技術において、音声・表示案内される重要ポイントに相当する。）を明示し、その間の道路を直線で簡易表現（広告などに載っている店周辺の地図のようなもの。）にすることで、経路誘導に必要な情報のみを分かりやすくすることができる。（ｂ）案内ポイント間が長い道路を短縮することで、目的地点ｂまでの経路地図を圧縮することができ、ユーザが経路を把握するために画面スクロールをする回数が無くなる（または減る）。（ｃ）次の案内ポイントＰまでの距離が長いとき、その間にある目印になるものを案内に有益な通過を確認できる通過ポイントＴとして抽出して明示することで、ユーザがチェックできるポイントの間隔を適切にすることができる。この通過ポイントＴも抽出された後は案内ポイントＰの一種として扱われる。
【００１９】
なお、簡易地図の簡易誘導経路Ｋ上で、案内・通過ポイントＰ，Ｔに近づくか、またはユーザがカーソルを合わせてクリックすると、その場所に対応した通常地図（拡大）に切り替わり、経路上の詳細な周辺情報を収集することを容易にすることもできる。案内・通過ポイントＰ，Ｔは、拡大表示・点滅表示などで、ユーザが認識しやすい表示を行うのが好ましい。また、ユーザが誘導経路から外れたときは、誘導経路の再計算、簡易地図の作成終了まで通常地図表示に切り替えることとする。
【００２０】
次に、上記簡易地図表示機能を実現する制御装置７でのソフトウェア（プログラム）で制御されるＣＰＵの演算処理のフローチャートを説明する。
【００２１】
図２の全体フローにおいて、
ステップＡ１：出発地点ａから目的地点ｂまでの誘導経路を探索してその誘導経路を構成する道路リンク（道路を幾つかの線分に分割したもの。道路名称、両端の座標、規制速度、車線数、幅、分岐数などの情報を持っている）情報Ｄをメモリ装置６に記録する。
ステップＡ２：誘導経路の上記道路リンク情報Ｄから案内ポイントＰ・通過ポイントＴを抽出・記録する（図３、図４にフローを示す）。
ステップＡ３：抽出された案内ポイントＰ・通過ポイントＴから図９のような簡易地図を作成しディスプレイ装置８に表示する（図５〜図８にフローを示す）。
【００２２】
以下、上記ステップＡ２のポイント抽出の処理ルーチンについて図３、図４を用いて説明する。
ステップＢ１：誘導経路を構成する道路リンク情報Ｄから案内ポイントＰを抽出する（例えば、隣り合う道路リンクの成す角度が４５度以上なら、案内ポイントとして）。
ステップＢ２：抽出された案内ポイントＰiと前の案内ポイントＰi-1（最初は案内経路の出発地点ａ）間の経路の各道路リンク長を足し合わせて案内ポイント間の距離Ｒを計算する。計算したＲはＲi（i＝０，１，２，・・・）として記録する。
ステップＢ３：案内ポイント間が長ければ（距離Ｒ＞閾値Ｒａ）、ポイント間の中間付近に目印となるような通過ポイントＴがあるかを調べる処理ルーチンβヘ移行する。
ステップＢ４：抽出した案内ポイントＰが目的地点ｂならポイント抽出の処理ルーチンを終了する。
ステップＢ５：今回抽出された案内ポイントＰi以降の誘導経路を構成する道路リンク情報から案内ポイントＰi+1を抽出する。
【００２３】
以下、上記ステップＡ２内の通過ポイント抽出の処理ルーチンβについて図４を用いて説明する。
【００２４】
ｂｌ：案内ポイント間の中間付近を示す道路リンク情報から、関連付けられている建物などを抽出する。
【００２５】
ｂ２：目印となるような地点（建物など）が抽出できなければ、通過ポイント抽出ルーチンを終了する。
【００２６】
ｂ３：抽出された通過ポイントＴをメモリ装置６に記録して、通過ポイント抽出ルーチンβを終了する。
【００２７】
次に、上記ステップＡ３の簡易誘導経路（簡易地図）作成のフローについて図５〜図８を用いて説明する。
【００２８】
ステップＣ１，Ｃ２，Ｃ３，Ｓ１：案内ポイントＰi〜Ｐi+1間の直線距離Ｌiで短すぎるものがあれば、それをある距離に伸ばす。そのとき、伸ばした距離、方向に合わせて、各案内ポイントＰ（通過ポイントＴ、目的地点ｂを含む）の座標をシフトする。この処理を順次、距離の短いものから行い、短すぎる箇所が無くなるか、または各案内ポイントＰiを順次、直線で結んだときに交差が生じるまで繰り返す（図７参照）。
【００２９】
この処理は、簡易地図を表示したときに案内ポイント間が短すぎるところが見づらくなることを防ぐものである。
【００３０】
ステップＣ４，Ｓ２：案内ポイントＰi〜Ｐi+1間の直線距離Ｌｉで長すぎるものがあれば、それをある距離に縮める。そのとき、縮めた距離、方向に合わせて、各案内ポイントＰiの座標をシフトする。この処理を順次、距離の長いものから行い、長すぎる箇所が無くなるか、または各ポイントを順次、直線で結んだときに交差が生じるまで繰り返す（図８参照）。
【００３１】
この処理は、簡易地図を表示したときに案内ポイント間が長すぎて見づらくなったり、１画面に圧縮したときに短いところが見づらくなることを防ぐものである。
【００３２】
ステップＣ５，Ｃ６，Ｃ７，Ｃ８；１画面で表示する場合、各ポイントの座標を全て等しい距離だけシフトして、１画面に収まるように圧縮する。順次、各ポイントを結ぶように、直線経路を捕面して、案内ポイント、通過ポイントを各座標に描画する（図６参照）。
【００３３】
ここに、上記第１の閾値Ｂ、第２の閾値Ｃの値は例えば以下のように決定することができる。
【００３４】
先ず、出発地点ａから目的地点ｂまでの誘導経路間で、各ポイント間の直線距離Ｌiを求める。
【００３５】
次に、各ポイント間の直線距離Ｌiの平均値（Ａve）と標準偏差（Ｄev）を求める。
【００３６】
次に、下式（式１）、（式２）で閾値Ｂ、Ｃを決定する（α、βは定数）。
【００３７】
Ｂ＝（Ａve−Ｄev×α）×β  ・・・（式１）
Ｃ＝（Ａve＋Ｄev×α）×β  ・・・（式２）
上記設定によれば直線距離Ｌiのばらつきが大きい場合は、特に直線距離Ｌiが長いポイント間、短いポイント間の適正なシフトを効果的に行うことができる。
【図面の簡単な説明】
【００３８】
【図１】本発明に係る車載用ナビゲーション装置の全体構成を示すブロック図である。
【図２】本発明に係る車載用ナビゲーション装置の簡易地図表示機能の処理内容を説明する全体のフローチャートである。
【図３】本発明に係る車載用ナビゲーション装置における案内ポイントを抽出するフローチャートである。
【図４】通過ポイントを抽出するフローチャートである。
【図５】簡易地図作成におけるフローチャート（前半部）である。
【図６】簡易地図作成におけるフローチャート（後半部）である。
【図７】簡易地図作成における地点間拡大化手段のフローチャートである。
【図８】簡易地図作成における地点間縮小化手段のフローチャートである。
【図９】本発明に係る車載用ナビゲーション装置のディスプレイ装置の画面上に表示された簡易誘導経路（簡易地図）の例を示す図である。
【図１０】従来の一般的な車載用ナビゲーション装置のシステム構成図である。
【図１１】公知の車載用ナビゲーション装置のディスプレイ装置の表示画面に表示された簡易地図の例を示す図である。
【符号の説明】
【００３９】
１    ＧＰＳ受信機
２    方位センサ
３    車輪センサ
４    地図データベース
５    操作部
６    メモリ装置
７    制御装置
８    ディスプレイ装置
１０    車載用ナビゲーション装置
ａ    出発地点
ｂ    目的地点
ｃ    現在地点
Ａ    簡易地図
Ｂ    第１の閾値
Ｃ    第２の閾値
Ｐ、Ｐｉ    案内ポイント
Ｔ、Ｔｉ    通過ポイント
Ｌｉ    直線距離
Ｒ、Ｒｉ    距離
Ｒａ    所定距離
Ｋ    簡易誘導経路
【図１】
2006132954.tif 000003
【図２】
2006132954.tif 000004
【図３】
2006132954.tif 000005
【図４】
2006132954.tif 000006
【図５】
2006132954.tif 000007
【図６】
2006132954.tif 000008
【図７】
2006132954.tif 000009
【図８】
2006132954.tif 000010
【図９】
2006132954.tif 000011
【図１０】
2006132954.tif 000012
【図１１】
2006132954.tif 000013